(57)【要約】【課題】遠近両用レンズには遠視領域と近視領域とがあり、それらを使い分けなければならないが、使い分けを容易にする為に、ノーズパッドに上下に変位する機能を持たせたメガネフレームが存在するが、ノーズパッド自体は小さな部品であるので、使い勝手が良く、かつ作動確実で故障が少なく、低コストで調達出来るものはなかなか見当たらなかった。【構成】メガネフレームの耳当て部本体に枢支軸を設け、該枢支軸に棒状をなした耳当て補助片の一端を軸支し、該耳当て補助片を耳当て部本体の下面に沿って折り畳める様にした。【選択図】  図３
2009294491.tif 000002
【特許請求の範囲】
【請求項１】
メガネフレームの耳当て部本体に枢支軸を設け、該枢支軸に棒状をなした耳当て補助片の一端を軸支し、該耳当て補助片を耳当て部本体の下面に沿って折り畳める様にしたことを特徴とする支持角度可変耳当て部。
【請求項２】
枢支軸が耳当て部本体の後端に設けられていることを特徴とする請求項１記載の支持角度可変耳当て部。
【請求項３】
耳当て部本体が挿通可能な貫通長孔を上部に設け、該貫通長孔によって耳当て部本体に着脱自在に取り付けられている軟質樹脂製の基部の下部に、枢支軸が設けられていることを特徴とする請求項１記載の支持角度可変耳当て部。
【発明の詳細な説明】
【技術分野】
【０００１】
この発明はメガネフレームの構成部品の一つである耳当て部、詳しくは、遠近両用レンズを用いる際などに、メガネフレームの支持角度を簡単に変えることが出来る耳当て部に関するものである。
【背景技術】
【０００２】
中高年に多く利用されている遠近両用レンズにおいては、一つのレンズ中に遠視用と近視用の二つの焦点距離の異なった領域が併存しており、この遠近両用レンズを装用した者は、この二つの領域を使い分けられなければその特性を十分に発揮し得ないのは当然である。しかし、この使い分けには若干の慣れを要し、その使い分けが十分に出来ないと、眼精疲労を起こし、頭痛になったりすることがある。特に、近年は遠視領域と近視領域とが外観上はっきり分からない累進レンズが多く用いられる様になっており、これら領域の使い分けは、ますます重要となっている。
【特許文献１】なし
【非特許文献１】なし
【発明の開示】
【発明が解決しようとする課題】
【０００３】
この為、メガネフレームの構成部品であるノーズパッドに可変機構を設け、ノーズパッドとメガネフレーム本体との相対位置を変更可能にし、遠視領域を用いるときと、近視領域を用いるときとでメガネの支持角度を変えられる様にしたものが提案され、それらのうちのいくつかは既に製品化されている。しかしながら、これらはいずれも、ノーズパッドという極めて小さい部品に関する機構であるので、製造組み立てがむずかしく、作動の確実さ、耐久性に問題のあるものが多く、実際の使い勝手においても、満足すべきものではなかった。
【０００４】
本発明者は、遠近両用レンズなどを用いる際に便利なこのメガネの支持角度変更に関する上記従来の問題点に鑑み、より簡単にメガネの支持角度が変更できる低コストな機構を実現すべく研究を行った結果、これを実現することに成功し、本発明として、ここに提案するものである。
【課題を解決するための手段】
【０００５】
メガネフレームの耳当て部本体１に枢支軸４を設け、該枢支軸４に棒状をなした耳当て補助片５の一端を軸支し、該耳当て補助片５を耳当て部本体１の下面に沿って折り畳める様にすることにより、上記課題を解決した。その際、枢支軸４は耳当て部本体１の後端に直接設けるだけではなく、耳当て部本体１に着脱自在に取り付けられている軟質合成樹脂製の基部６の下部に設けても良い。
【発明の効果】
【０００６】
通常の使用時においては、図１において実線で示す様に、耳当て補助片５を下に降ろしておき、この耳当て補助片５がメガネフレーム装用者の耳の後方に廻り込む様にしておくが、メガネレンズの角度を若干下向きにしようとするときには、耳当て補助片５を図１において破線で示す様に、耳当て部本体１の下面に沿う様に前方に向かって折り畳み、図３に示す様に耳当て補助片５の下面を耳の上部に載せる様にする。こうすることにより、ノーズパッドの接触面８を支点として、この耳当て補助片５の厚み分だけテンプル３の後部は持ち上げられ、それに伴い、メガネレンズは下向きにその光軸が変化することになる。従って、メガネレンズと眼球との相対位置、つまりメガネレンズの見通す箇所が変化し、遠視領域と近視領域とを使い分けたり、レンズを斜めにすることによって屈折率を変えてより鮮明に見える様にすることが可能となる。なお、耳当て補助片５を下方に降ろした通常使用時においては、この耳当て補助片５は耳の後方に廻り込んでいるので、耳によるメガネフレームの保持がより確実になり、メガネフレームのズレやずり落ちがより一層効果的に防がれる。
【発明を実施するための最良の形態】
【０００７】
耳当て部本体に耳当て補助片を付設し、この耳当て補助片を耳当て部本体下面に沿って折り畳める様にし、これによってテンプルと耳との相対位置を変えられる様にした点に特徴がある。
【実施例１】
【０００８】
図１はこの発明に係る支持角度可変耳当て部の一実施例の側面図である。図中１は耳当て部本体であり、合成樹脂を素材とし、棒状をなし、軸芯に沿って長孔２が形成されており、この長孔２にテンプル３の後方部分を挿入することにより、テンプル３の後部に取り付けられる様になっている。そして、この耳当て部本体１の後端には、長孔２の軸芯と直角で、かつ水平方向に枢支軸４が設けられており、この枢支軸４に耳当て補助片５の一端が軸支されている。この耳当て補助片５は合成樹脂を素材とし、側縁中央部が弓形に内側へ向かってゆるく弯曲した扁平な棒状を呈しており、前記枢支軸４を支点として耳当て部本体１の下面に沿う様に、前方に向かって折り畳める様になっている。
【０００９】
この実施例１は上記の通りの構成を有するものであり、通常使用時においては図１において実線で示す様に、耳当て補助片５を下に降ろしておき、この耳当て補助片５がメガネフレーム装用者の耳の後方に廻り込む様にしておくが、メガネレンズの角度を若干下向きにしようとするときには、耳当て補助片５を図１において破線で示す様に、耳当て部本体１の下面に沿う様に前方に向かって折り畳み、図３に示す様に、耳当て補助片５の下面を耳の上部に載せる様にする。こうすることにより、ノーズパッドの接触面８を支点として、この耳当て補助片５の厚み分だけテンプル３の後部は持ち上げられ、それに伴い、メガネレンズは下向きにその光軸が変化することになる。従って、メガネレンズと眼球との相対位置、つまりメガネレンズの見通す箇所が変化し、遠視領域と近視領域とを使い分けたり、レンズを斜めにすることによって屈折率を変えてより鮮明に見える様にすることが可能となる。
【００１０】
なお、耳当て補助片５を下方に降ろした通常使用時においては、この耳当て補助片５は耳の後方に廻り込んでいるので、耳によるメガネフレームの保持がより確実になり、メガネフレームのズレやずり落ちがより一層効果的に防がれる。
【実施例２】
【００１１】
図２はこの発明に係る支持角度可変耳当て部の実施例２の側面図である。図中６は軟質樹脂製の基部であり、上部には耳当て本体１が挿通可能な貫通長孔７が設けられており、この貫通長孔７によって耳当て本体１の適当位置に着脱自在に取り付けられている。そして、この基部６の下部には水平方向に枢支軸４が設けられており、この枢支軸４に耳当て補助片５の一端が軸支されている。なお、耳当て補助片５自体は上記実施例１と同じである。なお、基部６の基材としてはシリコーン樹脂のほか、各種の軟質樹脂を用いることが出来る。
【００１２】
この実施例２も、上記実施例１と同様、通常使用時には、耳当て補助片５を下方に降ろした状態で使用に供し、メガネレンズの角度を変更したいときには、この耳当て補助片５を前方に折り畳み、この耳当て補助片５の下面を耳の上面に接する様にする。
【００１３】
一方、この実施例２においては、基部６は耳当て部本体１に着脱自在に取り付けられているので、耳当て補助片５を簡単にメガネフレームから取りはずすことが出来るだけではなく、上記実施例１と異なり、既存のメガネフレームに簡単に取り付けることも可能である。
【００１４】
この様に、この発明に係る支持角度可変耳当て部は極めて簡単な構造で、故障や作動不良をおこすおそれもほとんどなく、メガネフレームの保持角度、つまりメガネレンズと眼球の相対位置を簡単に変えることが出来るので、遠近両用レンズを用いたメガネはもちろん、通常のメガネをより一層有効に使用させることが出来る効果を有し、高い実用性を持つものである。
【産業上の利用可能性】
【００１５】
遠近両用レンズを用いたメガネだけではなく、通常のレンズを用いたメガネにおいても利用可能である。
【図面の簡単な説明】
【００１６】
【図１】この発明に係る支持角度可変耳当て部の実施例１の側面図。
【図２】同じく、その実施例２の側面図。
【図３】実際に装用したときの状況を示した側面図。
【符号の説明】
【００１７】
１    耳当て部本体
２    長孔
３    テンプル
４    枢支軸
５    耳当て補助片
６    基部
７    貫通長孔
８    ノーズパッドの接触面
【図１】
2009294491.tif 000003
【図２】
2009294491.tif 000004
【図３】
2009294491.tif 000005